(57)【特許請求の範囲】
【請求項１】
シートに画像を形成する画像形成装置において、
回動軸を備え、前記回動軸を中心に装置本体に対して回動して開口部を開閉可能な開閉部材と、
前記開閉部材と係止して前記開閉部材を閉じた状態でロックするための、少なくとも２個以上のロック部材と、
開閉部材の開閉状態を検知する検知手段と、
前記装置本体に設けられた回転可能なカム部材と、
前記開閉部材に設けられ、前記カム部材に当接して反力を受ける力受け部と、
を有し、
前記カム部材は、回転すると前記力受け部を押圧して前記開閉部材が前記ロック部材によってロックされる方向へ引き込む力を付与するように配置されており、
前記画像形成装置は、前記検知手段が開いていた前記開閉部材が閉じたことを検知したときに、前記カム部材を回転させるイニシャル動作を行うことを特徴とする画像形成装置。
【請求項２】
前記イニシャル動作中は、前記検知手段が前記開閉部材が開いたことを検知しても画像形成装置の動作を停止させないことを特徴とする請求項１に記載の画像形成装置。
【請求項３】
前記イニシャル動作によって前記カム部材を回転させる場合、前記カム部材を一回転させることを特徴とする請求項１又は請求項２に記載の画像形成装置。
【請求項４】
前記画像形成装置は、トナー像を担持する像担持体を有し、前記開閉部材は、前記像担持体に当接し前記像担持体からシートへトナー像を転写する転写部材と、前記転写部材を前記像担持体へ向かって付勢する付勢部材と、を備え、
前記カム部材は、前記転写部材を前記像担持体から離間させることが可能なカム部材であることを特徴とする請求項１から請求項３のいずれか一項に記載の画像形成装置。
【請求項５】
前記イニシャル動作によって前記カム部材を回転させると、前記カム部材は、前記転写部材を前記像担持体から離れる方向へ移動させることを特徴とする請求項４に記載の画像形成装置。
【請求項６】
前記開閉部材は、前記カム部材によって前記転写部材を前記像担持体から離れる方向へ移動させると、前記回動軸を中心に前記装置本体を開放する方向に移動し、その後、前記付勢部材の付勢力によって前記転写部材が前記像担持体へ近づく方向へ移動すると、前記回動軸を中心に前記装置本体を閉じる方向に移動することを特徴とする請求項５に記載の画像形成装置。
【請求項７】
前記像担持体は、感光体からトナー像が転写される中間転写ベルトであることを特徴とする請求項４から請求項６のいずれか一項に記載の画像形成装置。
【請求項８】
前記ロック部材は、前記開閉部材の前記回動軸方向の両端にそれぞれ一つずつ設けられていることを特徴とする請求項１から請求項７のいずれか一項に記載の画像形成装置。
【請求項９】
前記中間転写ベルトを張架する張架ローラを有し、前記カム部材は、前記張架ローラの軸を中心に回転することを特徴とする請求項７に記載の画像形成装置。
【請求項１０】
シートに画像を形成する画像形成装置において、
トナー像を担持する像担持体と、
前記像担持体に当接し前記像担持体からシートへトナー像を転写する転写部材と、
回動軸を備え、前記回動軸を中心に装置本体に対して回動して開口部を開閉可能な開閉部材と、
前記開閉部材に係止して前記開閉部材を閉じた状態でロックするための、少なくとも２個以上のロック部材と、
開閉部材の開閉状態を検知する検知手段と、
前記装置本体に設けられ、前記転写部材を前記像担持体に対して当接・離間させるために回転可能なカム部材と、
前記開閉部材に設けられ、前記カム部材に当接して反力を受ける力受け部と、
を有し、
前記カム部材は、回転すると前記力受け部を押圧して前記開閉部材が前記ロック部材によってロックされる方向へ引き込む力を付与するように配置されていることを特徴とする画像形成装置。
【請求項１１】
イニシャル動作によって前記カム部材を回転させ、前記イニシャル動作中は、前記検知手段が前記開閉部材が開いたことを検知しても画像形成装置の動作を停止させないことを特徴とする請求項１０に記載の画像形成装置。
【請求項１２】
イニシャル動作によって前記カム部材を一回転させることを特徴とする請求項１０又は請求項１１に記載の画像形成装置。
【請求項１３】
前記カム部材を回転させると、前記カム部材は、前記転写部材を前記像担持体から離れる方向へ移動させることを特徴とする請求項１０乃至請求項１２のいずれか一項に記載の画像形成装置。
【請求項１４】
前記開閉部材は、前記カム部材によって前記転写部材を前記像担持体から離れる方向へ移動させると、前記回動軸を中心に前記装置本体を開放する方向に移動し、その後、前記転写部材を前記像担持体へ向かって付勢する付勢部材の付勢力によって前記転写部材が前記像担持体へ近づく方向へ移動すると、前記回動軸を中心に前記装置本体を閉じる方向に移動することを特徴とする請求項１３に記載の画像形成装置。
【請求項１５】
前記ロック部材は、前記開閉部材の前記回動軸方向の両端にそれぞれ一つずつ設けられていることを特徴とする請求項１０から請求項１４のいずれか一項に記載の画像形成装置。
【請求項１６】
前記像担持体は、感光体からトナー像が転写される中間転写ベルトであることを特徴とする請求項１０乃至請求項１５のいずれか一項に記載の画像形成装置。
【請求項１７】
前記中間転写ベルトを張架する張架ローラを有し、前記カム部材は、前記張架ローラの軸を中心に回転することを特徴とする請求項１６に記載の画像形成装置。
【発明の詳細な説明】
【技術分野】
【０００１】
本発明は、シートに画像を形成する画像形成装置であって、より詳しくは開閉部材のロックを確実に行うことができる画像形成装置に関する。
【背景技術】
【０００２】
プリンタなどの画像形成装置では、搬送されるシートが装置内で詰まったとき（ジャム）にユーザがジャムしたシートを除去するため、あるいはカートリッジを交換するとき等のために、外装カバーの一部が開閉部材として回動可能である。開閉部材が回動することで、開口部を開閉する構成である。
【０００３】
開閉部材は、画像形成中に不用意に開かないように、ロック部材（係止部材）により閉じた状態でロック（係止）されるようにしている。そして、開閉部材が大きい場合、あるいは開閉部材に開き方向の反力がかかる場合は、前記ロックを確実にするために、複数のロック部材を設けるようにしていることが多い。
【０００４】
開閉部材に対して複数のロック部材を設置した場合、ユーザが開閉部材の端部を持って開閉部材を閉じた場合に、一部のロック部材はロックしたものの、すべてのロック部材がロックしない、いわゆる「片閉まり」の状態になってしまうことがある。
【０００５】
図６は開閉部材の片閉まり状態を説明する図で、（ａ）は斜視図、（ｂ）は（ａ）の左視図、（ｃ）は（ａ）の右視図である。この開閉部材１００は水平方向に長手であって、回動中心１０１を中心に回動して開口部を開閉する構成である。そして、長手方向の両側に係止突起１０２ａ，１０２ｂが形成されている。一方、装置本体には前記係止突起１０２ａ，１０２ｂと対向する位置にロック部材１０３ａ，１０３ｂが設けられている。開閉部材１００を閉じると、左右の係止突起１０２ａ，１０２ｂがそれぞれのロック部材１０３ａ，１０３ｂにロックされる。
【０００６】
上記のような複数のロック部材１０３ａ，１０３ｂを有する構成にあっては、例えばユーザが図６（ａ）に示す開閉部材１００の右側を押して閉めようとした場合に、片閉まり状態になることがある。これは、開閉部材１００が左右に長いために剛性が不足し、図６（ｂ）（ｃ）の左右視図に示すように、右側のロック部材１０３ｂと係止突起１０２ｂは係止してロック状態となるが、左側のロック部材１０３ａと係止突起１０２ａは係止せずにロックできない、片閉まり状態になってしまうことがある。これは、図中左側をユーザが押して閉めようとした場合も、同様に右側がロックされない片閉まり状態になる可能性がある。
【０００７】
この片閉まり防止対策の一つの方法として、特許文献１が提案されている。これは、開閉部材が閉じられて片側のロック部材がロックされると、それに連動して補助ロック部材が動作し、開閉部材に引き込み力を与え、他方のロック部材もロックさせるというものである。
【先行技術文献】
【特許文献】
【０００８】
【特許文献１】特開２０００−７９７３９
【発明の概要】
【発明が解決しようとする課題】
【０００９】
しかしながら、片閉まり防止のために別部材を設けることは、部品点数が増加し、その結果としてコストアップ、本体サイズの大型化を招くことになる。
【００１０】
本発明は上記課題を解決するものであり、その目的は、開閉部材をロックするために特別の部材を追加することなく、片閉まりを効果的に防止することができる画像形成装置を提供するものである。
【課題を解決するための手段】
【００１１】
上記目的を達成するための本発明に係る代表的な構成は、シートに画像を形成する画像形成装置において、回動軸を備え、前記回動軸を中心に装置本体に対して回動して開口部を開閉可能な開閉部材と、前記開閉部材と係止して前記開閉部材を閉じた状態でロックするための、少なくとも２個以上のロック部材と、開閉部材の開閉状態を検知する検知手段と、前記装置本体に設けられた回転可能なカム部材と、前記開閉部材に設けられ、前記カム部材に当接して反力を受ける力受け部と、を有し、前記カム部材は、回転すると前記力受け部を押圧して前記開閉部材が前記ロック部材によってロックされる方向へ引き込む力を付与するように配置されており、前記画像形成装置は、前記検知手段が開いていた前記開閉部材が閉じたことを検知したときに、前記カム部材を回転させるイニシャル動作を行うことを特徴とする。
【発明の効果】
【００１２】
本発明にあっては、カム部材を回転させると開閉部材がロック部材によってロックされる方向へ引き込まれる。そして、開いていた開閉部材が閉じたときに、前記カム部材を回転させることで、仮に開閉部材が片閉まり状態にあっても、確実にロックされるようになる。
【図面の簡単な説明】
【００１３】
【図１】カム部材の回転と開閉部材が受ける反力の説明図である。
【図２】カム部材の回転と開閉部材が受ける反力の説明図である。
【図３】イニシャル動作のフローチャートである。
【図４】画像形成装置の概略説明図である。
【図５】開閉部材のロック機構の説明図である。
【図６】片閉まり状態の説明図である。
【発明を実施するための形態】
【００１４】
次に本発明の一実施形態に係る画像形成装置について、図面を参照して具体的に説明する。
【００１５】
＜画像形成装置の全体構成＞
図４は本発明の実施の形態に係る画像形成装置の一例であるレーザプリンタの概略構成を示す図である。
【００１６】
図４を参照して、画像形成装置Ａの全体構成を説明する。図４において、装置本体１には画像形成部２、この画像形成部２にシートＳを給送するシート給送装置３が設けられている。
【００１７】
ここで、画像形成部２には、感光体ドラム２ａ、ロータリ現像器２ｂ、レーザ露光光学系２ｃ等が配設されている。なお、ロータリ現像器２ｂは、トナーカートリッジと一体となったイエロー用現像器、マゼンタ用現像器、シアン用現像器、ブラック用現像器の４色の現像器を有している。また、このロータリ現像器２ｂは、回転して必要時に所望の色の現像器を感光体ドラム２ａと対向する現像位置へと移動させることが可能となっている。
【００１８】
さらに、画像形成部２には、４色のトナー像を重ねて転写作像した後、シートＳへ多色画像を一次転写する中間転写体である無端状の中間転写ベルト４、該ベルト４からシートＳへトナー画像を転写する二次転写部を構成する二次転写ローラ５が設けられている。
【００１９】
前記中間転写ベルト４は張架ローラ６ａ，６ｂ，６ｃに張架され、図４の時計回り方向へ回転可能となっている。そして、１つの張架ローラ６ａと対向する位置に二次転写部材である二次転写ローラ５が配置され、この二次転写ローラ５が後述する付勢手段によって張架ローラ６ａに支持された中間転写ベルト４に圧接している。この中間転写ベルト４と二次転写ローラ５とのニップ部が二次転写部であり、このニップ部をシートが搬送されるときに二次転写ローラ５に二次転写バイアスを印加して中間転写ベルト４上のトナー像をシートに転写する。
【００２０】
二次転写部のシート搬送方向下流側には、シート上の未定着画像を定着する定着部７、画像が定着されたシートＳを装置本体外に排出する排出ローラ対８等が配設されている。
【００２１】
シート給送装置３は、装置本体１の下部に設けられた給送カセット３ａと、この給送カセット３ａに収納されたシートＳを給送する給送ローラ３ｂを備えている。また、シート給送装置３は、給送ローラ３ｂにより送り出されたシートＳを分離する分離パッド３ｃで構成されたシート分離部を備えている。そして、このシート給送装置３の給送ローラ３ｂにより、給送カセット３ａから画像形成部２に向けてシートＳが給送される。
【００２２】
次に、このような構成の画像形成装置の画像形成動作について説明する。装置本体１の制御部から画像形成信号が出力されると、レーザ露光光学系２ｃから光信号に変換された１色目の光像が感光体ドラム２ａ上に投影される。なお、このとき感光体ドラム２ａの表面は、予め帯電されており、光像が投影されることによって感光体ドラム２ａ表面に静電潜像が形成される。
【００２３】
次に、ロータリ現像器２ｂ内に配された複数の現像器のうち選択された１色目の色に対応した現像器により静電潜像が現像され、感光体ドラム２ａ上に１色目のトナー像が形成される。この後、感光体ドラム２ａ上に形成されたトナー像は中間転写ベルト４上に転写される。ここで、カラーモードの場合には、トナー像が転写された中間転写ベルト４は次のトナー像が形成されて転写されるように更に回転する。なお、この間、ロータリ現像器２ｂは次の指定カラーの現像器を感光体ドラム２ａに対向するよう９０°回転し、次の静電潜像を現像する準備をする。また、一次転写が終わった感光体ドラム２ａは、１色目同様、２色目、３色目、４色目と潜像、現像、一次転写を繰り返し、中間転写ベルト４上に各色のトナー画像を順次重ねていく。
【００２４】
このとき、二次転写部の二次転写ローラ５は４色のトナー画像が中間転写ベルト４上に完成するまで、中間転写ベルト４上に形成されたトナー画像をみださないように、中間転写ベルト４から後述する構成によって離間されている。
【００２５】
一方、このような画像形成動作に並行して、給送カセット３ａに収納されたシートＳは、給送ローラ３ｂにより送り出された後、シート分離部により１枚ずつに分離される。そして、中間転写ベルト４上のトナー像と一致するタイミングで二次転写部に送られる。
【００２６】
次に、二次転写部に送られたシートＳは、中間転写ベルト４当接位置に移動した二次転写ローラ５によりトナー像が転写された後、定着部７に搬送される。この後、定着部７により加熱及び加圧されることにより、シートＳに未定着転写画像が永久定着され、このように画像が定着されたシートＳは排出ローラ対８により装置本体の上面の排出トレイ９に排出される。
【００２７】
＜開閉部材のロック構成＞
本実施形態の画像形成装置は、搬送されるシートがジャムしたときに装置本体から取り除くことができるように、二次転写部近傍の外装カバー部分に開口部が形成され、この開口部が開閉部材１０によって開閉可能に構成されている。
【００２８】
開閉部材１０は、図５に示すように、回動軸１０ａを中心に装置本体１に対して回動可能に取り付けられている。二次転写ローラ５は、開閉部材１０に設けられている。二次転写ローラ５は画像形成の画像精度に大きな影響を持ち、開閉部材１０を閉じた状態において、確実に二次転写ニップを形成する必要がある。そのために、二次転写ローラ５は、両端部を軸受１１によって回転可能に支持され、この軸受１１は支持部１２にスライド可能に取り付けられ、かつ、圧縮バネ等の弾性部材１３によって張架ローラ６ａの方向に付勢されている。このため、二次転写ローラ５は、開閉部材１０が閉じた状態にあっては、張架ローラ６ａに支持された中間転写ベルト４に圧接し、確実に二次転写ニップを形成する位置に移動可能である。
【００２９】
一方、開閉部材１０は閉じた状態にあっては前記弾性部材１３の付勢力により、開く方向へ反力を受けるため、閉じた状態で確実に装置本体に対してロック（係止）される必要がある。そのため、本実施形態では開閉部材１０の長手方向の両側の２箇所でロックされるように、長手方向の両側に２個のロック部材が設けられている（図６（ａ）参照）。
【００３０】
図５はロック部材１４による開閉部材１０のロック構成を示すものであり、長手方向の一方側のみを示しているが、反対側にも同一構成のロック部材１４が対称に設けられている。
【００３１】
ロック部材１４は、図５（ａ）に示すように、先端がフック形状をした部材であって、装置本体１に軸１４ａを中心に回動可能に取り付けられ、図示しない弾性部材によって図５（ａ）の矢印方向（反時計回り方向）に付勢されている。一方、開閉部材１０には、前記ロック部材１４の対向位置に、ロック部材のフック部１４ｂが係止するための係止突起１０ｂが設けられている。
【００３２】
また、開閉部材１０には、係止突起１０ｂの下方に、開閉部材１０を開閉するときにロック部材１４を押し下げるためのテーパー部１０ｃが設けられている。そして、ロック部材１４にはフック部１４ｂから下方に垂下したアーム部１４ｃが形成され、アーム部１４ｃの先端に前記テーパー部１０ｃと係合する突起部１４ｄが設けられている。
【００３３】
開閉部材１０を閉じる際には、図５（ａ）に示すように、テーパー部１０ｃが突起部１４ｄと係合し、ロック部材１４を押し下げる。さらに開閉部材１０を押し込むと、図５（ｂ）に示すように、テーパー部１０ｃと突起部１４ｄとの係合が外れてロック部材１４が上昇してフック部１４ｂが係止突起１０ｂに係止して開閉部材１０をロックする。
【００３４】
開閉部材１０の長手方向の反対側にも同様のロック部材１４が設けられているために、開閉部材１０を閉じると、長手方向の両側がロック部材１４によってロックされる。
【００３５】
本実施形態の画像形成装置には、開閉部材１０の開閉状態を検知する図示しない検知手段としての開閉検知センサが設置されている。この開閉検知センサが、開閉部材１０が開いている状態を検知すると、装置本体は画像形成装置の動作を停止させる。ここでは、開閉検知センサが開閉部材１０が開いている状態を検知し、その検知結果から装置本体が画像形成装置の動作を停止させることを、インターロック機能という。
【００３６】
前述のように、開閉部材１０は２箇所がロック部材１４でロックされる構成となっている。このために、ユーザが開閉部材１０の長手方向の一方側端を持って閉じた場合に片側のロック部材のみでロックされる「片閉まり」の状態になってしまうことがある。このとき、開閉検知センサはコストとスペースの制約のため、この開閉部材１０に対し１個設置されてのみであるため、開閉部材１０が完全に閉じられているのか、片閉まり状態なのかを検知することはできない。例えば、開閉検知センサが設置された側の開閉部材１０のロック部材１４は係止突起に係止した状態であっても、開閉検知センサが設置されていない側の開閉部材１０のロック部材１４が係止突起に係止してない状態が考えられる。この場合、開閉検知センサが開閉部材１０がロックされていると検知してしまうが、実際は、片閉まり状態である。
【００３７】
そこで、本実施形態では中間転写ベルト４に対する二次転写ローラ５の当接・離間機構を用いて片閉まりを確実に防止するようにしている。
【００３８】
＜二次転写ローラと中間転写ベルトの当接・離間機構とロック機構との関係＞
ここで、中間転写ベルト４に対する二次転写ローラ５の当接・離間機構と開閉部材１０のロック機構について説明する。
【００３９】
前述したように、二次転写ローラ５はカラー画像を形成するときには４色のトナー画像が中間転写ベルト４上に完成するまで、中間転写ベルト４から離間している。そのための当接・離間機構として、カム部材１５が張架ローラ６ａの回転軸を中心に図示しないモータからの駆動により回動可能に取り付けられている。このカム部材１５は、偏心カムであり、回転することで開閉部材１０に設けられた二次転写ローラ５の両端を支持する軸受１１に当接・離間する。なお、前記軸受１１にはカム部材１５に当接し、その反力を受ける力受け部にコロ１１ａが設けられている。このコロは、カム部材１５との擦動抵抗を減らす機能を有する。
【００４０】
二次転写ローラ５の当接・離間動作の際には、カム部材１５を回転させ、カム部材１５が弾性部材１３によって付勢されている二次転写ローラ５の軸受１１を押し込むことで、中間転写ベルト４から二次転写ローラ５を離間する。カム部材１５がコロ１１ａに当接していないときは二次転写ローラ５は弾性部材１３の付勢力により中間転写ベルト４に圧接して二次転写ニップを形成する。
【００４１】
そして、本実施形態にあってはカム部材１５が回転すると軸受１１を介して二次転写ローラ５を押圧し、開閉部材１０がロック部材１４によってロックされる方向へ引き込む力を付与するように構成している。次にその構成について説明する。
【００４２】
図１（ａ）に示すように、二次転写ローラ５と中間転写ベルト４が当接している場合は、二次転写ローラ５の回転中心５ａと中間転写ベルト４を支持する張架ローラ６ａの回転中心６ａ１を結んだ線分の方向に弾性部材の反力１６を受ける。この方向は、回動軸１０ａの下方へ向かうため、開閉部材１０には回動軸１０ａを中心にして時計回り方向、すなわち閉じる方向のモーメント１７が働いている。
【００４３】
次に、図１（ｂ）に示すように、カム部材１５が図１の時計方向に回転し、カム部材１５と軸受のコロ１１ａが当接すると、コロ１１ａとカム部材１５の接触する角度により、開閉部材１０は反力１６を受ける。このときの反力１６の方向は、回動軸１０ａよりも上方に向かうため、開閉部材１０には反時計回り方向、すなわち開く方向のモーメント１７が働く。
【００４４】
このとき、開閉部材１０が片閉まり状態にあった場合、開閉部材１０に対して開き方向の力が働くため、開閉部材１０の長手方向両端２箇所に設置してあるロック部材１４のロックされていない側が開いてしまう場合がある。
【００４５】
さらにカム部材１５が回転して、図２（ａ）に示すように、二次転写ローラ５が中間転写ベルト４から完全に離間した状態では、画像形成上の理由で中間転写ベルト４を支持する張架ローラ６ａと二次転写ローラ５の可動方向がオフセットしている。このとき、反力１６の方向は回動軸１０ａよりも下方へ向かい、開閉部材１０には閉じる方向のモーメント１７が働く。
【００４６】
さらにカム部材１５が回転し、図２（ｂ）に示すように、二次転写ローラ５が中間転写ベルト４に近づいているときには、コロ１１ａとカム部材１５の接触する角度の関係から、開閉部材１０は閉じる方向の反力１６を受ける。そして、図２（ｂ）の位置にカム部材１５がきたときに開閉部材１０の閉じる方向のモーメント１７は最大になる。本実施形態では、このときの開閉部材１０を閉じる力は、開閉部材１０をロック部材１４にロックするために付勢するのに要する力よりも十分に大きくなるように構成している。
【００４７】
上記のように、本実施形態にあっては、二次転写ローラ５を中間転写ベルト４から当接・離間させるためのカム部材１５が回転し、二次転写ローラ５の当接・離間動作を行うと、開閉部材１０に対する反力の向き・大きさが変化する。そして、前記反力によって開閉部材１０はロック部材１４にロックされるのに必要な力を受けるようにカム部材１５及び二次転写ローラ５、回動軸１０ａが配置されている。このため、開閉部材１０は、片開き状態にあっても確実に左右のロック部材１４でロックされるようになる。
【００４８】
ここで、二次転写ローラ５の当接・離間動作を利用した開閉部材１０の片閉まり防止シーケンスを図３に示す。
【００４９】
ジャム処理等が終了して開いた開閉部材１０が閉じられたことを開閉検知センサが検知した場合には、カム部材１５をホームポジションに戻すイニシャル動作が行われるようになっている。これは、開閉部材１０はジャム処理等のためにユーザによっていつでも強制的に開くことが可能になっており、開閉部材１０が開けられると開閉検知センサが開状態を検知し、インターロック機能が働き、画像形成装置のすべての動作が停止する。このため、カム部材１５もホームポジション以外の位置で停止してしまうことがあり、これをホームポジションに戻す必要があるからである。
【００５０】
このため、開閉部材１０が閉じられたことを検知すると、必ず画像形成を行う前にカム部材１５をホームポジションに戻すイニシャル動作を行う。本実施形態の画像形成装置は、開閉部材１０が片閉まり状態であったとしても、前記イニシャル動作中に片閉まり状態から復帰させることが可能である。
【００５１】
開いた開閉部材１０が閉じられたことを開閉検知センサが検知すると、カム部材１５を１回転させてからホームポジションに戻すイニシャル動作を行う（Ｓ１、Ｓ２）。このとき、開閉検知センサは開閉部材１０が開かれるか否かを検知している（Ｓ３）。
【００５２】
開閉部材１０が両ロック部材１４によって確実にロックされていると、開閉検知センサはイニシャル動作の間に開閉部材１０が開かれたことを検知することはない。このため、開閉部材１０はしっかりと閉じられていると判断し、そのまま印刷ジョブ待ち状態になる（Ｓ４）。
【００５３】
一方、開閉部材１０が片閉まりの状態であるにもかかわらず、開閉検知センサが開閉部材１０が閉じられたことを検知した場合、通常と同様にイニシャル動作を開始する。しかし、このときはカム部材１５が回転する際には、前述したように開閉部材１０に対して開く方向の力が加わるポジションがあり、そのときに開閉検知センサが開閉部材１０が開かれたと検知する場合がある。しかし、開閉部材１０が片閉まりであった場合は、さらにカム部材１５が回転することで、開閉部材１０をロック部材１４に引き込むことが可能である。このため、開閉検知センサが開状態を検知した場合でも動作を停止させることなく、そのままカム部材１５を回転させ、イニシャル動作を続行する（Ｓ５、Ｓ６）。即ち、イニシャル動作中にカム部材１５が回転中は、開閉検知センサが開状態を検知した場合があっても、装置本体の動作を停止しないように制御している。
【００５４】
カム部材１５の回転終了後、開閉検知センサが開閉部材１０が閉じているか否かを検知し（Ｓ７）、開閉部材１０が閉じられていることを検知すれば、印刷ジョブ待ちになる（Ｓ４）。
【００５５】
イニシャル動作終了後でも開閉部材１０が開いていると検知した場合は、はじめに閉状態を検知したときに開閉部材１０が両側のロック部材に半掛り状態でユーザが押さえていただけの場合や、何かが挟まっていて片閉まりから復帰できなかった等が考えられる。そこで、その場合はユーザに対し開閉部材１０が開かれていることを通知する処理をし、開閉検知センサはインターロック機構として働き、画像形成装置本体のすべての動作を停止させる（Ｓ８）。
【００５６】
その後、開閉部材１０をユーザが再度閉めると、同様のイニシャルシーケンスを行い、ジョブ待ち状態になる。
【００５７】
上述のように、本実施形態にあっては、二次転写ローラ５を中間転写ベルト４から当接・離間させるカム部材１５を用いることで新たな部材を追加することなく、部材の配置と、イニシャルシーケンスのみで、開閉部材１０が片閉まり状態になっていても、ロック状態にすることが可能である。
【００５８】
なお、前述した説明では、カム部材からの反力を受ける加圧部材として開閉部材１０に二次転写ローラ５を設けた例を示した。しかし、これに限定する必要はなく、例えばマルチ給送の開閉ドアで給送中板が上下する構成など、カム部材の回転により反力を受ける加圧部材を有する開閉部材であればよい。
【００５９】
また、ロック部材１４は本実施形態では開閉部材１０の長手方向の両端に２個設けた例を示した。しかし、このロック部材も２個に限定する必要はなく、前述した構成にあってはロック部材が２個以上であっても片閉まり状態を防止することができる。
【符号の説明】
【００６０】
１    …装置本体
４    …中間転写ベルト
５    …二次転写ローラ
５ａ  …回転中心
６ａ，６ｂ，６ｃ …張架ローラ
１０  …開閉部材
１０ａ …回動軸
１０ｂ …係止突起
１１  …軸受
１１ａ …コロ
１２  …支持部
１３  …弾性部材
１４  …ロック部材
１４ｂ …フック部
１５  …カム部材
【図１】
0005693088.tif 000002
【図２】
0005693088.tif 000003
【図３】
0005693088.tif 000004
【図４】
0005693088.tif 000005
【図５】
0005693088.tif 000006
【図６】
0005693088.tif 000007